(57)【要約】      （修正有）【課題】デジタル無線端末装置では、相手からの受信が終了したり、あるいは受信中でも相手からの音声がなく無音となると、デジタル無線受信機本体のノイズや電界ノイズ等の影響でホワイトノイズが出力され、受信者に耳障りで、非常に音質の悪い端末装置となる。【解決手段】デジタル音声を処理する受信信号処理部は、上記デジタル音声をリニアｎｂｉｔデータ（ここで、ｎ：正の整数）に変換する音声コーデック２０２と、デジタルノイズフィルタ２０３および上記デジタルノイズフィルタの出力を音声信号に変換する手段とから構成され、上記音声コーデックから上記デジタルノイズフィルタに入力される上記リニアｎｂｉｔデータから音声期間と無音声期間を判別して上記デジタルノイズフィルタの出力の内、上記無音声期間の上記リニアｎｂｉｔデータの全てのｂｉｔを「０」とするようにデジタルノイズフィルタを制御するように構成される。【選択図】図２
2006128836.tif 000002
【特許請求の範囲】
【請求項１】
デジタル音声を受信する受信部と上記受信部からのデジタル音声を処理する受信信号処理部および制御部とからなるデジタル無線端末装置において、上記受信信号処理部は、上記デジタル音声をリニアｎｂｉｔデータ（ここで、ｎ：正の整数）に変換する音声コーデックと、デジタルノイズフィルタおよび上記デジタルノイズフィルタの出力を音声信号に変換する手段とから構成され、上記制御部は、上記音声コーデックから上記デジタルノイズフィルタに入力される上記リニアｎｂｉｔデータから音声期間と無音声期間を判別し、上記デジタルノイズフィルタの出力の内、上記無音声期間の上記リニアｎｂｉｔデータの全てのｂｉｔを「０」とするようにデジタルノイズフィルタを制御することを特徴とするデジタル無線端末装置。
【請求項２】
請求項１記載のデジタル無線端末装置において、上記デジタルノイズフィルタに入力される上記リニアｎｂｉｔデータから音声期間と無音声期間との判別は、上記リニアｎｂｉｔデータの上位ｍｂｉｔ（ここで、ｎ＞ｍの関係があり、ｍ：正の整数）が全て「０」又は「１」の期間を無音声期間、上記以外の期間を音声期間と判断することを特徴とするデジタル無線端末装置。
【請求項３】
請求項１記載のデジタル無線端末装置において、更に、タイマー装置を備え、上記無音声期間の上記リニアｎｂｉｔデータの全てのｂｉｔを「０」とするタイミングを上記音声期間終了時点から所定時間遅延させる時間を上記タイマー装置に設定したことを特徴とするデジタル無線端末装置。
【発明の詳細な説明】
【技術分野】
【０００１】
本発明は、デジタル無線端末装置に関し、特に、無音時のホワイトノイズを低減するデジタル無線端末装置に関するものである。
【背景技術】
【０００２】
従来のアナログ方式の無線通信装置で送受信を行っている場合、相手からの音声が受信されている時は、受信信号が増幅され、受信信号にノイズ等が混入しても、相手からの音声に影響を与えたり、聞き取りにくいと言うようなことはあまり発生しない。しかしながら相手からの受信が終了したり、あるいは受信中でも相手からの音声がなく無音となる期間（音声が途切れる期間）があると、ノイズだけが増幅され、雑音となり、非常に不快な音が発生する。従って、このような問題を低減するためにノイズスケルチ回路を無線通信装置に設けている。このノイズスケルチ回路は、例えば、ローパスフイルタ（Low Pass Filter）で構成され、ノイズのような高い周波数成分を除去する方法が知られている。また、音声信号を検出し、音声信号が検出されないと、増幅器の利得を小さくし、ノイズだけが増幅されないようにする等の対策が取られている。
【０００３】
上述のアナログ方式の無線通信装置での無信号時の対策は、このように種々の方法が知られているが、最近、実用化されているデジタル無線通信装置では、まだ実用化されている方式がなく、また、良好な音質を保ちながら無信号時の雑音対策、所謂、ホワイトノイズ対策の実現が望まれている。
【０００４】
【非特許文献１】ＡＲＩＢ−ＳＴＤ−Ｔ８７（空港内デジタル移動通信システム）（社団法人電波産業会）
【発明の開示】
【発明が解決しようとする課題】
【０００５】
デジタル無線端末装置は、受信を行っている場合、通信相手からの音声が受信されている時は、受信信号が増幅され、ノイズ等の影響は非常に少ない。しかし、相手からの受信が終了したり、あるいは受信中でも相手からの音声がなく無音となる期間がある。このような場合、デジタル無線受信機本体のノイズや電界ノイズ等の影響でホワイトノイズが出力され、受信者に耳障りとなるばかりでなく、受信装置としては、非常に音質の悪い端末装置となる。
【０００６】
本発明の目的は、デジタル無線端末装置の音声の質を良くするデジタル無線端末装置を提供することである。
【０００７】
本発明の他の目的は、無音時のホワイトノイズを低減するデジタル無線端末装置を提供することである。
【課題を解決するための手段】
【０００８】
本発明は、デジタル音声を受信する受信部と上記受信部からのデジタル音声を処理する受信信号処理部および制御部とからなるデジタル無線端末装置において、上記受信信号処理部は、上記デジタル音声をリニアｎｂｉｔデータ（ここで、ｎ：正の整数）に変換する音声コーデックと、デジタルノイズフィルタおよび上記デジタルノイズフィルタの出力を音声信号に変換する手段とから構成され、上記制御部は、上記音声コーデックから上記デジタルノイズフィルタに入力される上記リニアｎｂｉｔデータから音声期間と無音声期間を判別し、上記デジタルノイズフィルタの出力の内、上記無音声期間の上記リニアｎｂｉｔデータの全てのｂｉｔを「０」とするようにデジタルノイズフィルタを制御するように構成される。
【０００９】
また、本発明のデジタル無線端末装置において、上記デジタルノイズフィルタに入力される上記リニアｎｂｉｔデータから音声期間と無音声期間との判別は、上記リニアｎｂｉｔデータの上位ｍｂｉｔ（ここで、ｎ＞ｍの関係があり、ｍ：正の整数）が全て「０」又は「１」の期間を無音声期間、上記以外の期間を音声期間と判断するように構成される。
【００１０】
また、本発明のデジタル無線端末装置において、上記デジタルノイズフィルタは、上記リニアｎｂｉｔデータが入力される同期化回路と上記同期化回路から出力される上記リニアｎｂｉｔデータを選択する信号選択回路からなり、上記制御部は、上記リニアｎｂｉｔデータの音声期間と無音声期間の情報に基づいて上記信号選択回路を制御するように構成される。
【００１１】
また、本発明のデジタル無線端末装置において、更に、タイマー装置を備え、上記無音声期間の上記リニアｎｂｉｔデータの全てのｂｉｔを「０」とするタイミングを上記音声期間終了時点から所定時間遅延させる時間を上記タイマー装置に設定するように構成される。
【００１２】
また、本発明のデジタル無線端末装置において、上記制御部は、記憶部を有し、上記記憶部に上記リニアｎｂｉｔデータの上位ｍｂｉｔ（ここで、ｎ＞ｍの関係があり、ｍ：正の整数）が全て「０」又は「１」の期間を無音声期間、上記以外の期間を音声期間と判断するためのテーブルを記憶するように構成される。
【発明の効果】
【００１３】
以上詳細に説明した様に、本発明を実施することによりデジタル無線端末装置の音声の質を良くすることは勿論のこと、デジタル無線端末装置より出力される受信音声の無音時に出力されるホワイトノイズの音量を大幅に削減することができ、更に、聞き易いデジタル無線端末装置を提供することができる。
【発明を実施するための最良の形態】
【００１４】
現在、実用化されているデジタル無線通信システムは、図５に示すようにデジタル基地局５０１とデジタル基地局５０１の通信エリア５０２（あるいは通信ゾーンとも言われる。）内にある複数の移動局Ｍ１、Ｍ２、・・・（なお、移動局を総称する場合は、移動局Ｍと呼ぶことにする。）との通信接続サービス、あるいは、移動局Ｍと通信エリア５０２の外に有る移動局ｍ１、ｍ２、・・・との通信接続サービスが行なわれるように構成されたシステムである。なお、図５では、移動局Ｍ１とｍ１のみ示してあるが、実際は、数百台から数千台の移動局から構成されている。
【００１５】
図５においてデジタル基地局５０１には、例えば、上りと下りの無線周波数がペアで割り当てられており、デジタル基地局５０１から送信される送信波を下り波Ｆ1、移動局Ｍ１から基地局５０１へ送信される送信波を上り波f１と呼ぶことにする。これら上りと下りのペア波を用いて、デジタル基地局５０１と移動局Ｍ１間あるいは基地局５０１を経由した移動局Ｍ１と移動局ｍ１間の通信を行う。また通信エリア５０２内は、デジタル基地局５０１の運用エリアである。また、移動局Ｍ１と通信エリア５０２の外に有る移動局ｍ１との間の通信は、移動局間直接通信が行われる。このようなシステムは、ＭＣＡ（Multi Channel Access）方式と呼ばれ、１音声チャンネル当たり１搬送波を割り当てる方式である。また、ＭＣＡ方式、例えば、空港ＭＣＡシステムで使用される周波数は、４００ＭＨｚ帯の周波数が使用され、下り波Ｆ1は、例えば、４６０．２２５ＭＨｚ、上り波f１は、例えば、４２１．７２５ＭＨｚが使用されている。なお、空港ＭＣＡシステムは、ＡＲＩＢ−ＳＴＤ−Ｔ８７（空港内デジタル移動通信システム）（非特許文献１参照）で定められており、ここでは、詳細な説明は省略する。
【００１６】
さて、上記のような空港ＭＣＡシステムで使用されるデジタル無線端末装置について次に説明する。図１は、本発明の一実施例の概略構成を示すブロック図である。図１に示す本発明のデジタル無線端末装置は、例えば、空港ＭＣＡシステムで使用されるデジタル無線端末装置である。このデジタル無線端末装置は、ＭＣＡシステムで使用される端末装置であるが、これに限定されるものではない。
【００１７】
而して、図１に示すデジタル無線端末装置は、デジタル無線機１０１と制御部１０２で構成されている。まず、デジタル無線機１０１について説明する。ＭＣＡシステムの、例えば、デジタル基地局５０１から送られてくるデジタル音声信号は、アンテナ１０３で受信され、アンテナ共用器１０４を介して受信部１０５に入力される。受信部１０５では、高周波増幅器１０６で高周波増幅された後、受信ミキサ１０７において周波数シンセサイザ１１０からの局部発信信号により周波数変換され、中間周波（ＩＦ）増幅器１０８を介して復調器１０９にて復調される。即ち、下り波Ｆ1：４６０．２２５ＭＨｚが中間周波（ＩＦ）に変換される。復調された受信信号は、ベースバンド信号処理部１１１の受信信号処理回路１１２にて信号処理され、Ｄ／Ａ変換部１１３で、デジタル音声信号がアナログ音声に変換され、受話器１１４に出力され、音声として再生される。また、制御部１０２を介して表示部１２２に出力される。
【００１８】
一方、送話器１１５からの音声信号は、Ａ／Ｄ変換部１１６でデジタル音声に変換され、ベースバンド信号処理部１１１の送信信号処理部１１７に入力される。同様に制御部１０２からの入力データは、送信信号処理部１１７において信号処理された後、送信部１１８に入力される。送信部１１８では、送信信号処理部１１７からの出力信号が変調器１１９で所定の変調処理を施された後、周波数シンセサイザ１１０からの信号が供給される送信ミキサ１２０で高周波信号（上り波f１：４２１．７２５ＭＨｚ）に変換され、送信電力増幅部１２１で電力増幅された後、アンテナ共用器１０４を介してアンテナ１０３からＭＣＡシステムのデジタル基地局５０１に向け送信される。
【００１９】
制御部１０２において、１２８は、このデジタル無線端末装置全体の制御を行う主中央処理装置（主ＣＰＵ）、１２６は、制御プログラム、チャネル番号、送受信信号の伝送信号情報等の所定の定数、各種パラメータ、テーブル類を格納しているＲＯＭ（Read Only Memory）である。１２５は、ワークエリアとして使用されるＲＡＭ（Random Access Memory）、１２４は、入力キー１２３からのデータ入力および表示部１２２へのデータ出力を行うインターフェース部、１２９は、デジタル無線機１０１に対する電源投入／切断を制御するデジタル無線機電源制御部である。なお、これら各構成要素がデジタル無線機１０１のベースバンド信号処理部１１１とバス１２７により相互に接続されている。そして、この制御部１０２は、デジタル無線機１０１における送受信シーケンス動作の制御、送受信制御信号の変復調、送受信プロトコルの制御などの制御を行なうとともに、デジタル無線機１０１で受信された情報あるいは操作者に対する各種情報を表示部１２２で表示するための処理、入力キー１２３から入力されたデータをデジタル無線機１０１のベースバンド信号処理部１１１に出力する処理、その他デジタル無線端末装置全体の動作の制御を行う。なお、受信信号処理部１１２は、音声信号伝送に必要な伝送情報を除去し、デジタル音声信号に変換すると機能および後述するデジタルノイズフイルタ機能を有している。また、送信信号処理部１１７は、従来の送信信号処理部と同様にデジタル音声の伝送に必要な伝送情報を付加する機能を有している。
【００２０】
次に、受信信号処理部１１２について図２を用いて説明する。図２は、本発明のデジタル無線端末装置に用いられるデジタルノイズフィルタの一実施例の概略構成を示すブロック図である。なお、受信信号処理部１１２は、デジタル音声に付加された信号伝送に必要な伝送情報を除去し、デジタル音声信号に変換する機能もあるが、これらは従来の機能と同じであるので、詳細については説明を省略する。
【００２１】
図２は、受信信号処理部１１２内に設けられたデジタルノイズフィルタ２０３を説明するためのブロック図を示す。入力端子２０１には、復調部１０９からのデジタル音声が入力される。この入力されたデジタル音声は、音声コーデック（ここでは信号複合化のためのdecoderである。）２０２で、例えば、リニア１４ｂｉｔデータ信号（Ｄ０）に複合化され、デジタルノイズフィルタ２０３に入力され、ここで、後述するようにホワイトノイズを低減されたデジタル音声信号となり、出力端子２０４からＤ／Ａ変換部１１３に供給される。Ｄ／Ａ変換部１１３では、リニア１４ｂｉｔデータ信号がアナログ音声に変換する。なお、リニア１４ｂｉｔデータ信号（Ｄ０）は、一般的にはリニアｎｂｉｔデータ信号（Ｄ０）（ここでｎは、正の整数である。）である。また、ｎの値は、適宜定めることができるが、音質等を考慮して１０ｂｉｔ以上に定めることが望ましい。
【００２２】
音声コーデック２０２は、デジタル音声を、例えば、リニア１４ｂｉｔデータ信号（Ｄ０）に変換する符号化部である。即ち、この音声コーデック２０２は、デジタル音声信号をリニア１４ｂｉｔデータ信号に変換するためのもので、例えば、図４に示すようなテーブルがその内部のメモリ（図示せず。）に記憶され、デジタル音声が端子２０１に入力されると、このデジタル音声（電圧表示で０．７３５４Ｖ〜２．２６４７０Ｖ）が１６３８３段階のリニア１４ｂｉｔデータ信号（コード）に変換され、デジタルノイズフィルタ２０３に供給される。なお、図４の音声標準電圧（Ｖ）は、アナログ表示されているが、実際はデジタル音声信号であり、便宜上、アナログ標記してある。デジタルノイズフィルタ２０３は、同期化回路２０７、信号選択回路２０８および分周器２０９とで構成されている。なお、音声コーデック２０２は、デジタル音声信号をリニア１４ｂｉｔデータ信号への変換に限定されるものではない。
【００２３】
次に図２に示す受信信号処理部１１２の動作を図３に示すタイムチャートに基づいてその動作を説明する。端子２０６には、図３（Ａ）で示すシステムクロック、例えば、１６．３８４ＭＨｚのクロック信号が供給されている。このシステムクロックは、分周器２０９で分周され、図３（Ｂ）で示される８ＫＨｚの同期化信号２１１と同図（Ｃ）に示される２５６ＫＨｚの同期クロック信号２１２を発生し、これら同期化信号２１１と同期クロック信号２１２は、同期化回路２０７および音声コーデック２０２にそれぞれ供給される。
【００２４】
同期化回路２０７は、ＦＰＧＡ（Field Programmable Gate Array）の論理回路で構成されており、音声コーデック２０２から入力されるリニア１４ｂｉｔ信号Ｄ０は、図３（Ｄ）で示されるように同期化回路２０７に入力される同期化信号２１１と同期クロック信号２１２により同期化される。同期化されたリニア１４ｂｉｔ信号Ｄ１は、信号選択回路２０８に入力される。信号選択回路２０８は、制御部１０２の主中央処理装置（主ＣＰＵ）１２８とバス１２７、端子２１０を介して接続され、主中央処理装置（主ＣＰＵ）１２８によって制御されるように構成されている。即ち、主中央処理装置（主ＣＰＵ）１２８には、同期化されたリニア１４ｂｉｔ信号Ｄ１の情報が入力され、この情報に基づいて以下に説明するように信号選択回路２０８を制御する。
【００２５】
以下この制御について説明する。ＲＯＭ１２６には、信号選択回路２０８の選択基準が表１に示すテーブルとして前もって記憶されている。
【００２６】
【表１】
2006128836.tif 000003
表１において、選択グループＡは、同期化されたリニア１４ｂｉｔ信号Ｄ１の予め定められた上位ｍビット（ここでｎ＞ｍの関係がある。）、例えば、上位８ｂｉｔが全て「１」、または、上位８ｂｉｔが全て「０」の時、信号選択回路２０８の出力信号Ｄ２は、１４ｂｉｔの全てのｂｉｔを「０」とすること、また、選択グループＢは、リニア１４ｂｉｔ信号Ｄ１の上位所定ビット、例えば、上位８ｂｉｔが全て「１」でない、または、上位８ｂｉｔが全て「０」でない場合は、リニア１４ｂｉｔ信号Ｄ１をそのまま出力すると言うように定めている。なお、表１では、上位所定ビット数を８ｂｉｔとして説明したが、８ｂｉｔに限定されるものではなく、音声信号期間と無音声期間に存在するノイズとが区別できることが望ましい。従って、ホワイトノイズを低減するために上位何ｂｉｔに設定するかは、システムの状況、周囲の環境等により適宜実験的に定めることができることは言うまでもない。
【００２７】
さて、このようにＲＯＭ１２６に表１に示すテーブルを設定しておくと、デジタル音声が音声コーデック２０２でリニア１４ｂｉｔ信号Ｄ１に変換され、同期化回路２０７で同期化された信号が信号選択回路２０８に入力されるが、このときリニア１４ｂｉｔ信号Ｄ１の情報が主中央処理装置（主ＣＰＵ）１２８に供給される。主中央処理装置（主ＣＰＵ）１２８では、この情報に基づき信号選択回路２０８をＲＯＭ１２６に記憶されている表１に示す設定基準に従い制御する。即ち、信号選択回路２０８に入力されるリニア１４ｂｉｔ信号Ｄ１のデジタル音声の電圧レベルが、例えば、上記実施例で説明した上位８ｂｉｔが全て「１」、または、上位８ｂｉｔが全て「０」の場合は、信号選択回路２０８の出力Ｄ２の全ｂｉｔは、強制的に「０」となるように制御されるので、ホワイトノイズが低減される。また、上位８ｂｉｔが全て「１」でない、または、上位８ｂｉｔが全て「０」でない場合は、同期化回路２０７の出力信号Ｄ１がそのまま出力され、出力端子２０４からＤ／Ａ変換部１１３に供給される。Ｄ／Ａ変換部１１３では、リニア１４ｂｉｔデータ信号がアナログ信号に変換され、受話器１１４から音声が再生される。
【００２８】
なお、図４において、音声標準電圧（Ｖ）の基準値は、１．５０００Ｖに定めてあり、小さい音ほど１．５０００Ｖに近くなり、また、大きい音の最大値は、２．２６４７または０．７３５４と設定されている。従って、上述のように、例えば、上位８ｂｉｔ全て「０」または「１」の場合は、小さい音、即ち、ノイズレベルに相当するので、これがカットされ、ホワイトノイズが低減される。換言すれば、上位ｂｉｔの数を少なくすると、大きいノイズをカットし、上位ｂｉｔの数を大きくすると、小さいノイズ音のみがカットされるようになるので、このｂｉｔ数を適宜実験的に定めるのがよい。
【００２９】
次に本発明の他の一実施例を図６を用いて説明する。上述した実施例では、音声信号が検出されない時は、直ちに無音声期間と判断し、強制的に信号選択回路２０８の出力の全ｂｉｔを「０」にしている。しかし、このようにすると再生される音声信号が聞く人にとって音声に違和感があり、音質があまり良くないことが実感的に確認されている。図６に示す実施例では、これを改善するものである。
【００３０】
図６において、６０１は、タイマー回路、６０２は、主中央処理装置（主ＣＰＵ）１２８からの制御信号入力端子である。なお、図２と同じものには同じ符号が付されている。この回路の動作を図７を用いて説明する。図７（Ａ）は、図２で示す回路の動作を示している。即ち、Ｐ１点は、同期化回路２０７の出力Ｄ１の上位８ｂｉｔが全て「０」又は「１」の検出時点を示し、このＰ１点を境にして音声信号期間Ｔ１と無音声期間Ｔ２に分けられる。そして、図２の回路では、無音声期間Ｔ２では、信号選択回路２０８の出力Ｄ２の全ｂｉｔは、強制的に「０」とされ、ホワイトノイズが低減されることを説明した。
【００３１】
しかしながら図６に示す回路では、Ｐ１点が主中央処理装置（主ＣＰＵ）１２８で検出されると、タイマー回路６０１が主中央処理装置（主ＣＰＵ）１２８の制御によって図７（Ｂ）に示すようにＯＮされる。即ち、カウント動作を開始する。そして、例えば、１秒（sec）後にタイマー回路６０１がＯＦＦされる。即ち、図７（Ｃ）に示すようにＰ２点で、タイマー回路６０１がＯＦＦされ、このタイミングで信号選択回路２０８の出力Ｄ２の全ｂｉｔは、強制的に「０」とするように主中央処理装置（主ＣＰＵ）１２８がタイマー回路６０１および信号選択回路２０８の動作を制御する。このように動作させると音声信号期間Ｔ１の終了するＰ１点で直ちに信号選択回路２０８の出力Ｄ２の全ｂｉｔが強制的に「０」とはならず、Ｐ１点から１秒後のＰ２点で信号選択回路２０８の出力Ｄ２の全ｂｉｔが強制的に「０」となる。即ち、有音時（音声信号期間Ｔ１）が終わってから１秒後にノイズカットの無音が出力されるようになる。このようにすると再生される音声信号が聞く人にとって音声に違和感がなく、音質が良くなるということが実験的に確認されている。
【００３２】
なお、図６に示す回路では、タイマー回路６０１をデジタルノイズフィルタ２０３内に設けた実施例が示されているが、主中央処理装置（主ＣＰＵ）１２８は、タイマー機能を有しているので、タイマー回路６０１に代えて主中央処理装置（主ＣＰＵ）１２８に入力キー１２３から所定の時間を設定することもできる。また、上記実施例では、Ｐ１とＰ２間を１秒と設定したが、これに限らず音質が向上するようにこの期間は適宜変更することが可能である。また、上記各実施例で説明したデジタルノイズフィルタ２０３は、ＦＰＧＡで構成することもできる。
【００３３】
図８は、本発明の更に他の一実施例を説明するためのブロック図である。上述した実施例では、受信信号処理部１１２にデジタルノイズフィルタ２０３を設けた場合について説明したが、図１に示す送信信号処理部１１７にも上述したデジタルノイズフィルタ２０３を設けることもできる。図８はその構成を示すもので、入力端子８０１には、Ａ／Ｄ変換部１１６からの信号が入力され、端子８０２には、システムクロックが供給される。８０３は、音声コーデック（ここでは、暗号化のためのencoderとして作用する。）、８０４は、出力端子で、変調器１１９に接続される。なお、図６と同じものには、同じ符号が付されている。
【００３４】
而して、送話器１１５からの音声信号は、Ａ／Ｄ変換部１１６で、前述と同様に、例えば、リニア１４ｂｉｔ信号Ｄ０に変換され、デジタルノイズフィルタ２０３に入力される。デジタルノイズフィルタ２０３では、図６で説明した場合と同様の動作が行われ、ホワイトノイズの低減したデジタル音声が音声コーデック８０３に入力され、ここで暗号化され、変調器１１９に供給される。このように構成すると、送信時においても無音時のホワイトノイズの低減ができ、ノイズ対策の優れたデジタル無線端末装置を実現できる。
【００３５】
以上詳述したが本発明のデジタル無線端末装置においては、音声コーデック部から出力される音声データを予め定められた音量レベル未満の信号ノイズをデジタル的に除去することにより無音時のホワイトノイズを大幅に低減することができる。また、送信時にも同様の回路を設けることでノイズ対策の優れたデジタル無線端末装置を実現できる。
【００３６】
以上、本発明について詳細に説明したが、本発明は、ここに記載されたデジタル無線端末装置の実施例に限定されるものではなく、上記以外のデジタル無線端末装置に広く適応することが出来ることは、言うまでも無い。
【図面の簡単な説明】
【００３７】
【図１】本発明の一実施例の概略構成を示すブロック図である。
【図２】本発明に使用される受信信号処理部の一実施例の概略構成を示すブロック図である。
【図３】本発明の一実施例の動作を説明するためのタイミングチャートである。
【図４】本発明で使用する音声信号電圧とリニア１４ｂｉｔ信号との対応を示す図である。
【図５】本発明のデジタル無線通信システムの概略構成を示す図である。
【図６】本発明に使用される受信信号処理部の他の一実施例の概略構成を示すブロック図である。
【図７】図６に示す回路の動作を説明するための図である。
【図８】本発明の更に他の一実施例の概略構成を示すブロック図である。
【符号の説明】
【００３８】
１０１：デジタル無線機、１０２：制御部、１０３：アンテナ、１０４：アンテナ共用器、１０５：受信部、１０６：高周波増幅部、１０７：受信ミキサ、１０８：ＩＦ増幅部、１０９：復調部、１１０：周波数シンセサイザ、１１１：ベースバンド信号処理部、１１２：受信信号処理部、１１３：Ｄ／Ａ変換部、１１４：受話器、１１５：送話器、１１６：Ａ／Ｄ変換部、１１７：送信信号処理部、１１８：送信部、１１９：変調部、１２０：送信ミキサ、１２１：送信電力増幅部、１２２：表示部、１２３：入力キー、１２４：インターフェース、１２５：ＲＡＭ、１２６：ＲＯＭ、１２７：バス、１２８：主ＣＰＵ、１２９：デジタル無線機電源制御部、１３０：電源、２０１、８０１：入力端子、２０２：音声コーデック、２０３：デジタルノイズフィルタ、２０４、８０４：出力端子、２０６、８０２：システムクロック入力端子、２０７：同期化回路、２０８：信号選択回路、２０９：分周器、２１０、６０２：制御信号入力端子、２１１：同期化信号、２１２：同期クロック信号、５０１：基地局、５０２：通信エリア、６０１：タイマー回路、８０３：音声コーデック。
【図１】
2006128836.tif 000004
【図２】
2006128836.tif 000005
【図３】
2006128836.tif 000006
【図４】
2006128836.tif 000007
【図５】
2006128836.tif 000008
【図６】
2006128836.tif 000009
【図７】
2006128836.tif 000010
【図８】
2006128836.tif 000011